(57)【要約】【課題】気液分離部材を備えたアキュムレータにおいて、気泡の発生に伴う異音の発生を最小限に抑える。【解決手段】上端開口の筒形の胴体３と、胴体３の開口部に連結されるヘッダ４とからなるタンク本体２を含み、ヘッダには、縦方向に開口する冷媒流入孔８と冷媒流出孔９とが備わっており、胴体内の上方空間位置に、ヘッダの冷媒流入孔が対向する気液分離部材１６とその下方に近接して固定配置される乾燥剤７ａ入りバッグ７とが備わっているアキュムレータ１。冷媒流出孔に胴体の内底部の近くまで延伸するインナーパイプ６が連結され、その外側にアウターパイプ５が二重管をなすように配置されることもある。アウターパイプに乾燥剤入りバッグが結束バンド３０を介して固定されるもある。【選択図】図１
2014077606.tif 000002
【特許請求の範囲】
【請求項１】
上端開口の筒形の胴体と、該胴体の開口部に連結されるヘッダとからなるタンク本体を含み、前記ヘッダには、縦方向に開口する冷媒流入孔と冷媒流出孔とが備わっており、
前記胴体内の上方空間位置に、前記ヘッダの前記冷媒流入孔が対向する気液分離部材とその下方に近接して固定配置される乾燥剤入りバッグとが備わっている
ことを特徴とするアキュムレータ。
【請求項２】
前記冷媒流出孔に前記胴体の内底部の近くまで延伸するインナーパイプが連結され、その外側にアウターパイプが二重管をなすように配置される
ことを特徴とする請求項１に記載のアキュムレータ。
【請求項３】
前記アウターパイプに乾燥剤入りバッグが結束バンドを介して固定される
ことを特徴とする請求項２に記載のアキュムレータ。
【発明の詳細な説明】
【技術分野】
【０００１】
本発明は、冷凍サイクルを循環する冷媒を気液分離して貯留する形式のアキュムレータに関する。
【背景技術】
【０００２】
冷凍サイクルを循環する冷媒を気液分離して貯留するため、レシーバタンクやアキュムレータ等が用いられる。この種のアキュムレータとして、例えば、特許文献１には、ハウジングと、ハウジング内に配置された管部、フィルタ及び乾燥剤を封入した袋等の内機部品等で構成され、冷媒の導入口からハウジング内に流入した冷媒は、気液分離部材としての笠部に衝突して気相冷媒と、オイルを含む液相冷媒とに気液分離され、分離された気相冷媒は、管部に進入して導出口から排出されるアキュムレータが記載されている。
【０００３】
また、特許文献２には、上端が開口した瓶状の胴体と、胴体の開口端を封止し、冷媒流入孔及び冷媒流出孔が穿設された本体（ヘッダ）と、胴体の下方に配置された乾燥剤容器等の内機部品とを備え、本体の冷媒流入孔から本体内に流入した冷媒が、旋回部において旋回流へと変換され、旋回流による遠心分離にて液冷媒とガス冷媒とに分離されるアキュムレータが記載されている。
【先行技術文献】
【特許文献】
【０００４】
【特許文献１】実開昭５７−２３７１号公報
【特許文献２】特開２０１１−２１７７３号公報
【発明の概要】
【発明が解決しようとする課題】
【０００５】
特許文献２に記載されたような旋回式のアキュムレータでは、特に問題とはならないが、特許文献１に記載のような、冷媒流入孔及び冷媒流出孔が穿設されたヘッダの下方に気液分離部材が存在するアキュムレータでは、乾燥剤が胴体の下部に溜まった液相冷媒と接触することで気泡が発生し、この気泡が気液分離部材に衝突して大きな異音が生じるという問題があった。
【０００６】
そこで本発明は、上記従来の技術における問題点に鑑みて、気液分離部材を備えたアキュムレータにおいて、上記気泡の発生に伴う異音の発生を最小限に抑えることができるアキュムレータを提供することを目的とする。
【課題を解決するための手段】
【０００７】
上記目的を達成するため、本発明は、アキュムレータであって、上端開口の筒形の胴体と、該胴体の開口部に連結されるヘッダとからなるタンク本体を含み、前記ヘッダには、縦方向に開口する冷媒流入孔と冷媒流出孔とが備わっており、前記胴体内の上方空間位置に、前記ヘッダの前記冷媒流入孔が対向する気液分離部材とその下方に近接して固定配置される乾燥剤入りバッグとが備わっていることを特徴とする。
【０００８】
本発明によれば、乾燥剤入りバッグを気液分離部材１６に近い上方位置に配置したため、胴体に貯留される液相冷媒が乾燥剤と触れる割合が少なくなり、それに伴って気泡の発生が少なくなり、気泡発生に伴う異音が減少する。また、気泡が発生したとしても、気泡の発生位置から気液分離部材までの距離が短いため、気泡が勢いよく気液分離部材に衝突することが回避され、このこととの相乗効果によって、異音の発生は著しく減少する。
【０００９】
冷媒流出孔に胴体の内底部の近くまで延伸するインナーパイプが連結され、その外側にアウターパイプが二重管をなすように配置されることもある。
【００１０】
アウターパイプに乾燥剤入りバッグが結束バンドを介して固定されることもある。
これにより、乾燥剤入りバッグを低コストで容易に固定することができる。
【発明の効果】
【００１１】
以上のように本発明によれば、冷媒流入孔及び冷媒流出孔がヘッダの上方に開口すると共に、流入する冷媒が気液分離部材に上方より衝突する形式のアキュムレータにおいて、異音の発生を最小限に抑えることが可能となる。
【図面の簡単な説明】
【００１２】
【図１】本発明にかかるアキュムレータの一実施形態を示す図であり、（ａ）は縦断面図、（ｂ）は（ａ）のＡ−Ａ線断面図である。
【発明を実施するための形態】
【００１３】
次に、本発明を実施するための形態について、図面を参照しながら詳細に説明する。
【００１４】
図１は、本発明にかかるアキュムレータの一実施形態を示し、このアキュムレータ１は、胴体３とヘッダ４とからなるタンク本体２と、タンク本体２内に配置されたアウターパイプ５、インナーパイプ６及びバッグ７等の内機部品等で構成される。
【００１５】
タンク本体２は、上端が開口した有底円筒状の胴体３と、溶接部１０を介して胴体３と溶接接合され、胴体３の開口端を封止するヘッダ４とから構成される。これら胴体３及びヘッダ４は、いずれもアルミニウム合金等の金属によって形成される。
【００１６】
ヘッダ４は、上面視円状に形成され、冷媒流入孔８及び冷媒流出孔９が上方に開口する。冷媒流出孔９は、インナーパイプ６と連通する。
【００１７】
ヘッダ４の下方には、冷媒流入孔８からの混合冷媒（気相分と液相分が混在した冷媒）を、密度の高い液相冷媒及びコンプレッサオイル（以下、「オイル」という）と、密度の低い気相冷媒とに分離する気液分離部材１６が逆皿状に設けられる。
【００１８】
胴体３の内部には、気液分離された気相冷媒が流入するアウターパイプ５と、アウターパイプ５に流入した気相冷媒を冷媒流出孔９に導くインナーパイプ６とが配置される。
【００１９】
アウターパイプ５は、合成樹脂からなり、上端部５ａが開口した状態で胴体３内に嵌め込まれる。アウターパイプ５の底部には、金属や樹脂からなる網目部材２１がインサート成形されたストレーナ２０が設けられ、このストレーナが胴体３の内底面に載置される。
【００２０】
また、胴体３内の上方空間には、気液分離部材１６に近い位置で、乾燥剤（吸湿剤）７ａ入りバッグ７が配置される。このバッグ７は、結束バンド３０を介してアウターパイプ５に固定される。
【００２１】
鍔部２２には、上面視放射状に形成され、下方に突出する補強用リブ２２ａが計６つ設けられる。
【００２２】
アウターパイプ５の下部内周面には、インナーパイプ６の外周面と当接するパイプリブ２３ａ〜２３ｄが一体に形成され、これらパイプリブ２３ａ〜２３ｄは、図１（ｂ）に示すように、十字状に配置される。
【００２３】
インナーパイプ６は、アルミニウム合金等の金属からなり、下端部６ａが開口すると共に、上端部６ｂがヘッダ４の冷媒流出孔９に連結される。また、インナーパイプ６の下部は、アウターパイプ５の内周面に凸設されたパイプリブ２３ａ〜２３ｄの内側に嵌入され、これにより、インナーパイプ６が安定して保持される。
【００２４】
次に、上記構成を有するアキュムレータ１の動作について、図１を参照しながら説明する。なお、以下の説明においては、アキュムレータ１を冷凍サイクルの蒸発器と圧縮機との間に配置し、蒸発器からの冷媒に含まれる水分を除去してガス冷媒を生成し、これを圧縮機へ戻す場合を例にとって説明する。
【００２５】
蒸発器から冷媒が排出されると、接続配管（不図示）を通じてアキュムレータ１に搬送される。アキュムレータ１に到達した冷媒は、冷媒流入孔８から胴体３の内部に流入した後、気液分離部材１６に衝突し、密度の高い液相冷媒及びオイルと、密度の低い気相冷媒（ガス冷媒）とに分離される。
【００２６】
気液分離後の液相冷媒及びオイルは、自重により胴体３内に貯留される。その過程で、液相冷媒とオイルとの分離が進み、オイルは液相冷媒の下方に溜まる。このとき、液相冷媒の液面は、乾燥剤７ａ入りバッグ７の一部（略中央）が浸漬する高さ位置にまで達する。したがって、液相冷媒に含まれる水分も気相冷媒に含まれる湿分も乾燥剤７ａによって吸湿される。
【００２７】
乾燥剤７ａ入りバッグ７を気液分離部材１６に近い上方位置に配置したため、胴体３に貯留される液相冷媒が乾燥剤７ａと触れる割合が少なくなり、それに伴って気泡の発生が少なくなり、気泡発生に伴う異音が減少する。また、気泡が発生したとしても、気泡の発生位置から気液分離部材１６までの距離が短いため、気泡が勢いよく気液分離部材１６に衝突することが回避され、このこととの相乗効果によって、異音の発生は著しく減少する。
【００２８】
一方、気液分離された気相冷媒は、アウターパイプ５の上端開口部から流入し、アウターパイプ５内を下降する。その後、アウターパイプ５の底部で折り返されてインナーパイプ６に流入し、インナーパイプ６内を上昇して冷媒流出孔９に導かれる。このとき、オイル戻し孔２４を通じて、胴体３の底に溜まったオイルが吸引され、ここでオイル成分を潤沢に含んだ気相冷媒となり、それが冷媒流出孔９から接続配管（不図示）を通じて圧縮機に供給される。
【００２９】
以上のように本発明によれば、冷媒流入孔及び冷媒流出孔がヘッダの上方に開口すると共に、流入する冷媒が気液分離部材に上方より衝突する形式のアキュムレータにおいて、異音の発生を最小限に抑えることができる。
【００３０】
なお、上記実施の形態においては、インナーパイプ６及びアウターパイプ５からなる二重管によって冷媒出口管を構成する場合を例示したが、本発明は、単一の冷媒出口管を備えるアキュムレータにも適用することが可能である。
【符号の説明】
【００３１】
１  アキュムレータ
２  タンク本体
３  胴体
４  ヘッダ
５  アウターパイプ
５ａ  上端部
６  インナーパイプ
６ａ  下端部
６ｂ  上端部
７  バッグ
７ａ  乾燥剤
８  冷媒流入孔
９  冷媒流出孔
１０  溶接部
１６  気液分離部材
２０  ストレーナ
２１  網目部材
２２  鍔部
２２ａ  リブ
２３（２３ａ〜２３ｄ）  パイプリブ
２４  オイル戻し孔
３０  結束バンド
【図１】
2014077606.tif 000003